(57)【要約】【課題】ノズルからの化粧料を所望の領域にピンポイントで付着させると共に、ピンポイントで付着させた化粧料を、手を汚すことなく且つ別途塗布体を用いることなく、容易に馴染ませたり伸ばしたりする。【解決手段】収容部１ａから押し出されノズル５ｂ内の流路５ｅを流れ流出する化粧料が、ノズル５ｂの外周に装着された筒状の塗布体６に付着する前に、ノズル５ｂの先端から凹み流路５ｅに連通する凹状の化粧料溜め部５ｇに溜めるようにし、化粧料が直ぐに塗布体６に付着して広がったり滲んだりし難く、且つ、こぼれ落ち難くする。また、ピンポイントで付着させた化粧料を、ノズル５ｂの外周に装着した塗布体６により、手を汚すことなく且つ別途塗布体を用いることなく、容易に馴染ませたり伸ばしたりするのを可能とする。【選択図】図３
2018027234.tif 000002
【特許請求の範囲】
【請求項１】
化粧料を収容する収容部と、
前記収容部から押し出される前記化粧料の流路を形成する筒状のノズルと、
前記ノズルの外周に装着された筒状の塗布体と、を備え、
前記ノズルは、その先端から凹み前記流路に連通する凹状の化粧料溜め部を有することを特徴とする化粧料塗布容器。
【請求項２】
前記ノズルは、その先端部の外周面に、外方へ突出して前記塗布体の先端部を広げて密着させ前記塗布体を係止する凸部を有することを特徴とする請求項１記載の化粧料塗布容器。
【請求項３】
前記ノズルの後部に連設され拡径されたノズルホルダと、
前記ノズルホルダから前方へ突出する突出部と、を有し、
前記突出部には、内方へ突出し前記塗布体を係止する凸状の係止部が設けられていることを特徴とする請求項１又は２記載の化粧料塗布容器。
【発明の詳細な説明】
【技術分野】
【０００１】
本発明は、化粧料を塗布するための化粧料塗布容器に関する。
【背景技術】
【０００２】
従来、液状化粧料を収容した容器本体と、容器本体に連通し液状化粧料が通る流路を構成するノズルと、ノズルに対して筒状の支持部材を介して回転可能に装着され、ノズルの先端が露出するように当該ノズルを先端側から囲繞する筒状のパフと、を備え、ユーザーが容器本体を押圧することにより、容器本体の液状化粧料をノズル先端の排出口から排出してユーザーの皮膚に塗布し、この塗布された液状化粧料を、ノズルを囲繞するパフにより、そのまま伸ばして塗るようにした化粧料容器が知られている（例えば、特許文献１参照）。この化粧料容器によれば、別途パフを用いる必要がなく、液状化粧料を塗るのが便利とされている。
【０００３】
また、以下の特許文献２には、液体石鹸又はクレンジングクリームを充填した容器と、容器の上部に螺合し上端に鋸歯状の開口縁が設けられた中蓋と、中蓋の鋸歯状開口縁に咬合固定され、中心導管（ノズル）を有するスポンジボール又はクロスボールと、を備え、ユーザーが容器内の液体石鹸等を圧縮又は押し出すことにより、液体石鹸等を中心導管を介してボール面又はボール面付近に流出させ、ボール内に含有する水分と作用させて当該ボールによって洗顔を行う洗顔用ファンテンボールが記載されている。この洗顔用ファンテンボールによれば、手に液体石鹸等が付くことがなく、ボールによってワンタッチでインスタント洗浄できるとされている。
【先行技術文献】
【特許文献】
【０００４】
【特許文献１】特表２０１１−５１６２３４号公報
【特許文献２】実開昭６１−２０５４１１号公報
【発明の概要】
【発明が解決しようとする課題】
【０００５】
しかしながら、上記特許文献１、２に記載のものにあっては、ノズル（中心導管）の先端から排出した液状化粧料や液体石鹸等が、直ぐにパフやボール等の塗布体に付着して広がったり滲んでしまい、例えばコンシーラー化粧料のように、所望の領域にピンポイントで塗布することが望まれる化粧料を、良好に塗布することは難しかった。
【０００６】
そこで、本発明は、ノズルからの化粧料が直ぐに塗布体に付着して広がったり滲んだりし難く、化粧料を所望の領域にピンポイントで付着させることができ、加えて、ピンポイントで付着させた化粧料を、手を汚すことなく容易に馴染ませたり伸ばしたりできる化粧料塗布容器提供することを目的とする。
【課題を解決するための手段】
【０００７】
本発明による化粧料塗布容器は、化粧料を収容する収容部と、収容部から押し出される化粧料の流路を形成する筒状のノズルと、ノズルの外周に装着された筒状の塗布体と、を備え、ノズルは、その先端から凹み流路に連通する凹状の化粧料溜め部を有することを特徴としている。
【０００８】
このような化粧料塗布容器によれば、収容部から押し出されノズル内の流路を流れ流出する化粧料は、ノズルの外周に装着された筒状の塗布体に付着する前に、ノズルの先端から凹み流路に連通する凹状の化粧料溜め部に溜められる。このため、化粧料が、直ぐに塗布体に付着して広がったり滲んだりし難く、且つ、こぼれ落ち難い。従って、ノズルからの化粧料を所望の領域にピンポイントで付着させることができる。また、ピンポイントで付着させた化粧料を、ノズルの外周に装着した塗布体により、手を汚すことなく且つ別途塗布体を用いることなく、容易に馴染ませたり伸ばしたりできる。
【０００９】
ここで、ノズルの外周に対して塗布体を装着する構成としては種々挙げられるが、例えば、ノズルは、その先端部の外周面に、外方へ突出して塗布体の先端部を広げて密着させ塗布体を係止する凸部を有する構成が挙げられる。これによれば、簡易な構成で塗布体をノズルの外周に装着できる。
【００１０】
また、ノズルの外周に対して塗布体を装着する他の構成としては、ノズルの後部に連設され拡径されたノズルホルダと、ノズルホルダから前方へ突出する突出部と、を有し、突出部には、内方へ突出し塗布体を係止する凸状の係止部が設けられている構成も挙げられる。これによれば、簡易な構成で塗布体をノズルの外周に装着できる。
【発明の効果】
【００１１】
このように本発明によれば、ノズルからの化粧料を所望の領域にピンポイントで付着させることができると共に、ピンポイントで付着させた化粧料を、手を汚すことなく且つ別途塗布体を用いることなく容易に馴染ませたり伸ばしたりできる。
【図面の簡単な説明】
【００１２】
【図１】本発明の実施形態に係る化粧料塗布容器を示しキャップを取り外した斜視図である。
【図２】本発明の実施形態に係る化粧料塗布容器を示す縦断面図である。
【図３】図２の先端部を拡大した縦断面図である。
【図４】図２及び図３中のノズル部材及びスリーブの斜視図である。
【発明を実施するための形態】
【００１３】
以下、本発明による化粧料塗布容器の好適な実施形態について図１〜図４を参照しながら説明する。図１は、本発明の実施形態に係る化粧料塗布容器を示しキャップを取り外した斜視図、図２は、本発明の実施形態に係る化粧料塗布容器を示す縦断面図、図３は、先端部を拡大した縦断面図、図４は、ノズル部材及びスリーブの斜視図であり、本実施形態の化粧料塗布容器は、容器内に収容した液状化粧料を、使用者が適宜押し出し塗布に供するものである。ここでは、特に好適であるとして、液状化粧料をコンシーラーとして説明する。
【００１４】
図１及び図２に示すように、化粧料塗布容器１００は、全体形状が筆記具の如き細長いスティック状を成し良好な外観を呈するものである。
【００１５】
この化粧料塗布容器１００は、コンシーラーを収容する収容部（収容室）１ａを備えた円筒状の本体筒１と、本体筒１の後部に回転自在に連結された有底円筒状の操作筒２と、操作筒２の底部から立設する軸状の突出部２ａに同期回転可能且つ軸線方向移動可能に外挿され外周面に雄螺子３ａが設けられた円筒状の移動体３と、本体筒１の先端部に固定されたスリーブ４と、スリーブ４及び本体筒１に装着され収容部１ａのコンシーラーを先端側へ案内するノズル部材５と、ノズル部材５を囲繞するようにして装着された塗布体６と、塗布体６を覆うように本体筒１に着脱可能に装着されたキャップ７と、を備える。
【００１６】
また、化粧料塗布容器１００は、図２に示すように、本体筒１と同期回転し、移動体３の雄螺子３ａに螺合する雌螺子８ａが内周面に設けられる共に、その後端面に一方向（繰り出し方向）の回転を許容するラチェット歯８ｂが設けられた円筒状の雌螺子部材８と、ラチェット歯８ｂに噛合するラチェット歯９ｂを先端に備えると共に当該ラチェット歯９ｂより後方がバネ部とされ、雌螺子部材８と操作筒２の底部との間に、突出部２ａを囲繞するように配置された円筒状のラチェットバネ部材９と、を備える。
【００１７】
そして、使用者が、キャップ７を取り外し、本体筒１に対して操作筒２を一方向（繰り出し方向）に回転すると、雌螺子部材８の雌螺子８ａ及び移動体３の雄螺子３ａを備える螺合機構、及び、操作筒２と移動体３とを同期回転とする回り止め機構、並びに、ラチェット歯８ｂ，９ｂを備え一方向の回転を許容するラチェット機構に従って、移動体３が順次先端側へ繰り出され、移動体３の先端に配設されたピストン１０が、収容部１ａのコンシーラーを先端側に向かって順次押し出すようになっている。なお、ラチェット機構がなく、移動体３が前進／後退可能な構成であっても良い。
【００１８】
次に、本体筒１の先端部に連結されたスリーブ４及びノズル部材５並びに塗布体６について説明する。
【００１９】
スリーブ４は、例えばＰＰ等から形成され、図３及び図４に示すように、略円筒状に構成される。スリーブ４は、先端部の外周面に、本体筒１の先端面に突き当てるための円環状の鍔部４ａを備える。スリーブ４の先端部の内周面には、内方へ円環状に張り出す凸状の係止部４ｂが、塗布体６を装着するためのものとして設けられる。また、スリーブ４の軸線方向中程の内周面には、凹部４ｃが、ノズル部材５を装着するためのもとして円環状に設けられる。
【００２０】
ノズル部材５は、本体筒１に装着されるノズルホルダ５ａと、ノズルホルダ５ａに連設され前方へ延びるノズル５ｂとを一体に備える射出成形品であり、例えば、エラストマーやゴム等の軟質材より形成される。
【００２１】
ノズルホルダ５ａは、本体筒１の先端部内に進入する肉厚の略円筒状に構成され、その後端面が末広の擂り鉢状を成すように凹んでいる。
【００２２】
ノズルホルダ５ａは、その前側の外周面に、外方に円環状に突出する凸部５ｃを、スリーブ４の凹部４ｃに軸線方向に係合するためのものとして備えると共に、その後端部の外周面に、円環状の凹部５ｄを、本体筒１に軸線方向に係合するためのものとして備える。
【００２３】
ノズル５ｂは、円筒状に構成され、ノズル５ｂの後部が、ノズルホルダ５ａの中央部の擂り鉢状の底部からノズルホルダ５ａを貫くようにしてノズルホルダ５ａと一体化されてさらに前方へ延びる形状を呈し、その筒孔が、本体筒１の収容部１ａに連通する断面円形の流路５ｅを構成する。
【００２４】
ノズル５ｂの先端部の外周面には、外方へ円環状に突出する凸部５ｆが、塗布体６を係止し抜け止めとして機能するものとして設けられる。
【００２５】
ここで、特に、本実施形態においては、ノズル５ｂは、その先端から凹む凹状の化粧料溜め部５ｇを有し、この凹状の化粧料溜め部５ｇの底部が、流路５ｅの先端の排出口５ｈに連通する構成となっている。
【００２６】
なお、ここでは、流路５ｅの径が、化粧料溜め部５ｇから後端側へ向かう途中で一段拡径されているが、同径であっても良い。
【００２７】
因みに、凹状の化粧料溜め部５ｇと、化粧料溜め部５ｇに連通する小径な流路５ｅ及びすり鉢状の底部とは、両端から挿入され付き合わされた一対のコアピンを用いて成型される。
【００２８】
そして、図３に示すように、本体筒１の先端部に対して、ノズル部材５のノズルホルダ５ａが内嵌される。また、本体筒１の先端部に対して、スリーブ４が圧入され、その鍔部４ａが本体筒１の先端面に突き当てられた状態で固定される。この状態で、ノズルホルダ５ａの凹部５ｄが、本体筒１の先端部の内周面に設けられた円環状の凸部１ｂに軸線方向に係合すると共に、ノズルホルダ５ａの凸部５ｃが、スリーブ４の凹部４ｃに軸線方向に係合することにより、ノズル部材５が本体筒１及びスリーブ４に装着される。
【００２９】
塗布体６は、例えば、ウレタンや、ＮＢＲ等の連発泡又は単発泡のスポンジ等の弾性材であり、略円筒状に構成される。塗布体６の後部の外周面には、スリーブ４の係止部４ｂに軸線方向に係止される凹部６ａが円環状に設けられる。
【００３０】
そして、塗布体６は、ノズル部材５のノズル５ｂに外挿され、その凹部６ａが、スリーブ４の凸状の係止部４ｂに軸線方向に係止されることにより、スリーブ４に装着されると共に、塗布体６の先端部が、ノズル５ｂの先端部の凸部５ｆに広げられるようにして強く密着し係止されることにより、ノズル５ｂに装着される。
【００３１】
このような本実施形態の化粧料塗布容器１００によれば、前述した動作により収容部１ａから押し出されたコンシーラーは、ノズル５ｂ内の流路５ｅを流れていき、流路５ｅ先端の排出口５ｈから流出するコンシーラーは、ノズル５ｂの外周に装着された筒状の塗布体６に付着する前に、ノズル５ｂの先端の凹状の化粧料溜め部５ｇに溜められる。このため、コンシーラーが、直ぐに塗布体６に付着して広がったり滲んだりし難く、且つ、こぼれ落ち難い。従って、ノズル５ｂからのコンシーラーを所望の領域にピンポイントで付着させることができる。具体的には、化粧料溜め部５ｇの外周縁を所望の領域に押し当てるようにしてコンシーラーをピンポイントで付着させることができる。そして、本実施形態によれば、ピンポイントで付着させたコンシーラーを、ノズル５ｂの外周に装着した塗布体６により、手を汚すことなく且つ別途塗布体を用いることなく、容易に馴染ませたり伸ばしたりできる。
【００３２】
また、本実施形態によれば、ノズル５ｂの先端部の外周面に、外方へ突出して塗布体６の先端部を広げて密着させ塗布体６を係止する凸部５ｆを有しているため、簡易な構成で塗布体６をノズル５ｂの外周に装着できる。
【００３３】
また、本実施形態によれば、ノズル５ｂの後部に連設され拡径されたノズルホルダ５ａと、ノズルホルダ５ａから前方へ突出する突出部としてのスリーブ４と、を有し、スリーブ４には、内方へ突出し塗布体６を係止する凸状の係止部４ｂが設けられているため、簡易な構成で塗布体６をノズル５ｂの外周に装着できる。
【００３４】
以上、本発明をその実施形態に基づき具体的に説明したが、本発明は上記実施形態に限定されるものではなく、例えば、上記実施形態においては、容器やノズル５ｂを円筒状としているが、例えば角筒状等としても良い。
【００３５】
また、上記実施形態においては、所望の領域にピンポイントで塗布するのに好適であるとして、液状化粧料をコンシーラーとしているが、例えば、リキッドチーク、リキッドアイカラー、リキッドファンデーション、リキッドハイライト等の他の液状化粧料でも良く、さらには、クリームチーク等を始めとしたクリーム状の化粧料や、ジェル状の化粧料に対しても適用でき、要は、流動性を有する化粧料であれば良い。また、これらの化粧料を、ノズル先端から押し出すことができるチューブやソフトボトル等のスクイーズタイプの容器に対しても適用可能である。
【符号の説明】
【００３６】
１ａ…収容部、４…スリーブ（突出部）、４ｂ…係止部、５…ノズル部材、５ａ…ノズルホルダ、５ｂ…ノズル、５ｅ…流路、５ｆ…凸部、５ｇ…化粧料溜め部、６…塗布体、１００…化粧料塗布容器。
【図１】
2018027234.tif 000003
【図２】
2018027234.tif 000004
【図３】
2018027234.tif 000005
【図４】
2018027234.tif 000006